(57)【要約】【課題】撮影を中断した場合に、直ぐに次の撮影ができるようにすることを目的とする。【解決手段】本発明の記録制御装置は、動画を記録するように制御する記録手段と、前記記録手段の停止を指示する停止指示手段と、前記記録手段による動画の記録が所定時間、継続したことに応じて、自動的に動画の記録を停止し、直前に記録された動画に対する指示を受け付ける受付画面を表示し、前記記録手段による動画の記録が所定時間、継続する前に前記停止指示手段による停止の指示があった場合、動画の記録を停止し、前記受付画面を表示することなく記録待機画面へ遷移するように制御する制御手段と、を有することを特徴とする。【選択図】図１０
2019115018.tif 000002
【特許請求の範囲】
【請求項１】
動画を記録するように制御する記録手段と、
前記記録手段の停止を指示する停止指示手段と、
前記記録手段による動画の記録が所定時間、継続したことに応じて、自動的に動画の記録を停止し、直前に記録された動画に対する指示を受け付ける受付画面を表示し、
前記記録手段による動画の記録が所定時間、継続する前に前記停止指示手段による停止の指示があった場合、動画の記録を停止し、前記受付画面を表示することなく記録待機画面へ遷移するように制御する制御手段と、を有することを特徴とする記録制御装置。
【請求項２】
前記制御手段は、
前記記録手段による動画の記録が所定時間、継続する前に前記停止指示手段による停止の指示に応じて動画の記録を停止した場合には、前記記録を停止した動画を、独立した動画ファイルとして記録するように制御することを特徴とする請求項１に記載の記録制御装置。
【請求項３】
前記制御手段は、
前記記録手段による動画の記録が所定時間、継続する前に前記停止指示手段による停止の指示があった場合、ＧＯＰ単位の区切りに関わらず動画の記録を停止するように制御することを特徴とする請求項１または２に記載の記録制御装置。
【請求項４】
前記記録手段による動画の記録の開始を指示する記録指示手段を有し、
前記停止指示手段は、前記記録指示手段と同一の操作部材であることを特徴とする請求項１ないし３の何れか１項に記載の記録制御装置。
【請求項５】
前記制御手段は、
前記記録手段による動画の記録が所定時間、継続したことに応じて、自動的に動画の記録を停止した場合、前記直前に記録された動画を追記可能な動画ファイルに追記するように制御することを特徴とする請求項１ないし４の何れか１項に記載の記録制御装置。
【請求項６】
前記制御手段は、
前記記録手段による動画の記録が所定時間、継続したことに応じて、自動的に動画の記録を停止した場合、前記直前に記録された動画を、前記記録手段による動画の記録が所定時間、継続する前に前記停止指示手段による停止の指示に応じて作成された動画ファイルに追記しないように制御することを特徴とする請求項１ないし５の何れか１項に記載の記録制御装置。
【請求項７】
前記記録手段による動画の記録が所定時間、継続したことに応じて、自動的に動画の記録を停止した場合に前記受付画面を表示するか否かを設定する表示設定手段を有することを特徴とする請求項１ないし６の何れか１項に記載の記録制御装置。
【請求項８】
前記制御手段は、
前記表示設定手段において自動的に動画の記録を停止した場合に前記受付画面を表示しない設定がされている場合、前記受付画面を表示することなく前記直前に記録された動画を追記可能な動画ファイルに追記するように制御することを特徴とする請求項７に記載の記録制御装置。
【請求項９】
前記所定時間を設定する時間設定手段を有することを特徴とする請求項１ないし８の何れか１項に記載の記録制御装置。
【請求項１０】
前記時間設定手段は、前記所定時間をユーザにより選択された時間またはユーザにより入力された時間に設定することを特徴とする請求項９に記載の記録制御装置。
【請求項１１】
前記制御手段は、
前記受付画面において、ユーザにより選択された処理を実行することを特徴とする請求項１ないし１０の何れか１項に記載の記録制御装置。
【請求項１２】
前記制御手段は、
前記受付画面において、ユーザにより動画の削除が指示された場合、前記直前に記録された動画を削除するように制御することを特徴とする請求項１ないし１１の何れか１項に記載の記録制御装置。
【請求項１３】
前記制御手段は、
前記受付画面において、ユーザにより動画の再生が指示された場合、前記直前に記録された動画を再生するように制御することを特徴とする請求項１ないし１２の何れか１項に記載の記録制御装置。
【請求項１４】
前記制御手段は、
前記受付画面において、ユーザにより動画ファイルへの追記が指示された場合、前記直前に記録された動画を追記可能な動画ファイルに追記するように制御することを特徴とする請求項１ないし１３の何れか１項に記載の記録制御装置。
【請求項１５】
前記制御手段は、
前記受付画面において、ユーザにより独立した動画ファイルとしての記録が指示された場合、前記直前に記録された動画を、独立した動画ファイルとして記録するように制御することを特徴とする請求項１ないし１４の何れか１項に記載の記録制御装置。
【請求項１６】
前記制御手段は、
前記受付画面において、前記直前に記録された動画の削除、前記直前に記録された動画の再生、追記可能な動画ファイルへの追記、および、独立した動画ファイルとして記録、のうち少なくとも何れか１つの指示を受け付けるように制御することを特徴とする請求項１ないし１５の何れか１項に記載の記録制御装置。
【請求項１７】
被写体を撮影する撮像手段を有し、
前記記録手段は、
前記撮像手段により撮影された動画を記録するように制御することを特徴とする請求項１ないし１６の何れか１項に記載の記録制御装置。
【請求項１８】
動画を記録するように制御する記録ステップと、
前記記録ステップによる動画の記録の停止を指示する停止指示ステップと、
前記記録ステップによる動画の記録が所定時間、継続したことに応じて、自動的に動画の記録を停止し、直前に記録された動画に対する指示を受け付ける受付画面を表示し、
前記記録ステップによる動画の記録が所定時間、継続する前に前記停止指示ステップによる停止の指示があった場合、動画の記録を停止し、前記受付画面を表示することなく記録待機画面へ遷移するように制御する制御ステップと、を有することを特徴とする記録制御装置の制御方法。
【請求項１９】
コンピュータを、請求項１ないし１７の何れか１項に記載された記録制御装置の制御手段として機能させるためのプログラム。
【請求項２０】
コンピュータを、請求項１ないし１７の何れか１項に記載された記録制御装置の制御手段として機能させるためのプログラムを格納したコンピュータが読み取り可能な記録媒体。
【発明の詳細な説明】
【技術分野】
【０００１】
本発明は、記録制御装置、記録制御装置の制御方法、プログラムおよび記録媒体に関する。
【背景技術】
【０００２】
従来、記録媒体に記録された既存の動画ファイルに含まれる動画に対して、新規に撮影して得られた動画を追記して記録することができる装置が知られている。特許文献１には、一定時間の間、動画を記録した後に自動で停止し、直前に記録された動画の削除、再生、その前に記録された動画への追記、独立したファイルとして記録、のうちユーザが選択可能な確認画面を表示する動画記録装置が開示されている。
【先行技術文献】
【特許文献】
【０００３】
【特許文献１】特開２０１２−１５６５８７号公報
【発明の概要】
【発明が解決しようとする課題】
【０００４】
しかしながら、特許文献１の動画記録装置は、電池蓋開けのようなエラー処理であれば動画の記録を中断させることができるが、通常では動画の記録を開始した後に一定時間が経過しなければ動画の記録が停止されない。
仮にユーザの指示により動画の記録を中断できたとしても、特許文献１のように動画の記録が終了した後に、直前に記録された動画に対する確認画面が表示されてしまうと、確認画面で選択するか、確認画面を終了するかを操作しなければ、次の撮影を開始できない。したがって、直ぐに次の撮影を開始することができず、撮影機会を逃してしまうという問題がある。特に、ユーザが意図的に途中で動画の記録を停止した場合には、ユーザは所望する撮影ができなかったことを認識している可能性が高い。
【０００５】
例えば、一定時間として６秒の動画を記録できる機能を用いて、野球のバッターがスイングをしてボールを打つ期間を６秒に収める撮影を行う場合を想定する。この場合、打席で構えているバッターの記録を開始してから４秒程度経ったところで、バッターが未だスイングの初期動作であるテイクバックに入っていないとする。この状態では、今からスイングが行われても６秒までにはスイングの最後まで収めることができないために、ユーザは一旦、記録を停止して、再度６秒の記録を開始しようと試みることが想定される。このような意図的に記録を停止したときに確認画面が表示されると、確認画面を終了させて次の記録の開始を指示する操作を行っている間に、バッターのスイングが行われてしまい、ユーザの所望する撮影ができない虞がある。
【０００６】
本発明の上述したような問題点に鑑みてなされたものであり、撮影を中断した場合に、直ぐに次の撮影ができるようにすることを目的とする。
【課題を解決するための手段】
【０００７】
本発明は、動画を記録するように制御する記録手段と、前記記録手段の停止を指示する停止指示手段と、前記記録手段による動画の記録が所定時間、継続したことに応じて、自動的に動画の記録を停止し、直前に記録された動画に対する指示を受け付ける受付画面を表示し、前記記録手段による動画の記録が所定時間、継続する前に前記停止指示手段による停止の指示があった場合、動画の記録を停止し、前記受付画面を表示することなく記録待機画面へ遷移するように制御する制御手段と、を有することを特徴とする。
【発明の効果】
【０００８】
本発明によれば、撮影を中断した場合に、直ぐに次の撮影をすることができる。
【図面の簡単な説明】
【０００９】
【図１】デジタルカメラの外観構成の一例を示す図である。
【図２】デジタルカメラの構成の一例を示す図である。
【図３】追記動画撮影の処理の一例を示すフローチャートである。
【図４】追記動画撮影モードの処理の一例を示すフローチャートである。
【図５】設定メニュー画面の一例を示す図である。
【図６】撮影待機画面の一例を示す図である。
【図７】動画記録中画面の一例を示す図である。
【図８】保存確認画面の一例を示す図である。
【図９】動画を記録したときに遷移する画面の一例を示す図である。
【図１０】動画を記録したときに遷移する画面の一例を示す図である。
【発明を実施するための形態】
【００１０】
以下、図面を参照して本発明の好適な実施形態について説明する。
（第１の実施形態）
本実施形態では、記録制御装置がデジタルカメラ１００（以下、カメラ１００という）である場合について説明する。
図１は、カメラ１００の外観構成の一例を示す図である。
表示部１０１は、ライブビュー（ＬＶ）画像を表示したり、動画記録中の画像を表示したり、各種情報を表示したりする。表示部１０１は、表示手段の一例である。シャッターボタン１０２は、ユーザが撮影指示するためのボタンである。モード切替スイッチ１０３は、ユーザが各種モードを切替えるためのスイッチである。動画ボタン１０４は、ユーザが動画の記録の開始を指示したり、動画の記録の停止を指示したりするためのボタンである。コネクタ１０５は、パーソナルコンピュータやプリンタ等の外部機器と通信するための接続ケーブル１０６を繋げるための接続部である。
【００１１】
操作部１０７は、ユーザからの各種操作を受け付ける。操作部１０７には、各種スイッチ、ボタン、タッチパネル、コントローラホイール１０８等の操作部材が含まれる。コントローラホイール１０８は、回転操作可能な操作部材であり、上下左右の４方向ボタンと共に選択項目を指示するときに用いられる。
電源スイッチ１０９は、電源オン、電源オフを切替えるための押しボタンである。記録媒体１１０は、メモリカードやハードディスク等である。記録媒体スロット１１１は、記録媒体１１０を格納する。記録媒体スロット１１１に格納された記録媒体１１０は、カメラ１００との間で通信が可能になり、画像データを記録したり、再生したりすることができる。記録媒体スロット１１１は蓋１１２によって閉塞される。
【００１２】
図２は、カメラ１００の構成の一例を示す図である。なお、図１と同一の構成は、同一符号を付してその説明を適宜、省略する。
撮影レンズ２００はズームレンズ、フォーカスレンズを含むレンズ群である。シャッター２０１は絞り機能を備える。撮像部２０２は被写体の光学像を電気信号に変換するＣＣＤやＣＭＯＳ素子等で構成される撮像素子である。Ａ／Ｄ変換器２０３は、撮像部２０２から出力されるアナログ信号をデジタル信号に変換する。バリア２０４は、カメラ１００の撮影レンズ２００を覆うことにより、撮影レンズ２００、シャッター２０１、撮像部２０２を含む撮像系の汚れや破損を防止する。
【００１３】
画像処理部２０５は、Ａ／Ｄ変換器２０３からの画像データまたはメモリ制御部２０６からの画像データに対し所定の画素補間、縮小といったリサイズ処理や色変換処理を行う。また、画像処理部２０５では、撮影した画像データを用いて所定の演算処理が行われ、得られた演算結果に基づいてシステム制御部５０が露光制御、測距制御を行う。この処理により、ＴＴＬ（スルー・ザ・レンズ）方式のＡＦ（オートフォーカス）処理、ＡＥ（自動露出）処理、ＥＦ（フラッシュプリ発光）処理が行われる。更に、画像処理部２０５では、撮影した画像データを用いて所定の演算処理を行い、得られた演算結果に基づいてＴＴＬ方式のＡＷＢ（オートホワイトバランス）処理も行う。
【００１４】
Ａ／Ｄ変換器２０３からの画像データは、画像処理部２０５およびメモリ制御部２０６を介してまたはメモリ制御部２０６を介してメモリ２０７に直接書き込まれる。メモリ２０７は、撮像部２０２によって得られＡ／Ｄ変換器２０３によりデジタルデータに変換された画像データや表示部１０１に表示するための画像データを格納する。メモリ２０７は、所定枚数の静止画像や所定時間の動画および音声を格納するのに十分な記憶容量を備えている。また、メモリ２０７は、画像表示用のメモリ（ビデオメモリ）を兼ねている。
【００１５】
Ｄ／Ａ変換器２０８は、メモリ２０７に格納されている表示用の画像データをアナログ信号に変換して表示部１０１に供給する。したがって、メモリ２０７に書き込まれた表示用の画像データは、Ｄ／Ａ変換器２０８を介して表示部１０１により表示される。表示部１０１は、ＬＣＤ等の表示器上にＤ／Ａ変換器２０８からのアナログ信号に応じた表示を行う。Ａ／Ｄ変換器２０３によって一度Ａ／Ｄ変換されメモリ２０７に蓄積されたデジタル信号をＤ／Ａ変換器２０８においてアナログ変換し、表示部１０１に逐次転送して表示することでライブビュー画像が表示され、電子ビューファインダとして機能する。
【００１６】
不揮発性メモリ２０９は、電気的に消去・記録可能な記録媒体としてのメモリであり、例えばＥＥＰＲＯＭ等が用いられる。不揮発性メモリ２０９には、システム制御部５０の動作用の定数、プログラム等が記憶される。このプログラムは、本実施形態の後述するフローチャートを実行するためのプログラムである。
【００１７】
システム制御部５０は、少なくとも１つのプロセッサーまたは回路を有し、カメラ１００全体を制御する。システム制御部５０は、制御手段および記録手段の一例に対応する。システム制御部５０が不揮発性メモリ２０９に格納されたプログラムを実行することで、後述する本実施形態の各処理を実現する。また、システム制御部５０は、メモリ２０７、Ｄ／Ａ変換器２０８、表示部１０１等を制御することにより表示制御も行う。システムメモリ２１０は、例えばＲＡＭが用いられる。システムメモリ２１０はシステム制御部５０の動作用の定数、変数、不揮発性メモリ２０９から読み出したプログラム等を展開する。システムタイマー２１１は各種制御に用いる時間や、内蔵された時計の時間を計測する計時部である。
【００１８】
モード切替スイッチ１０３、第１シャッタースイッチ２１２、第２シャッタースイッチ２１３、操作部１０７はシステム制御部５０に各種の動作指示を入力するための操作手段である。
モード切替スイッチ１０３は、動作モードを静止画撮影モード、動画撮影モード、再生モード等の何れかに切替えることができる。システム制御部５０は、モード切替スイッチ１０３により切替えられた動作モードを設定する。静止画撮影モードに含まれる動作モードには、オート撮影モード、オートシーン判別モード、マニュアルモード、撮影シーン別の撮影設定となる各種シーンモード、プログラムＡＥモード、カスタムモード等がある。モード切替スイッチ１０３によりメニューボタンに含まれる上述した動作モードの何れかに直接切替えることができる。また、モード切替スイッチ１０３で静止画撮影モードに一旦、切替えた後に、メニューボタンに含まれるこれらの動作モードの何れかに、他の操作部材を用いて切替えてもよい。また、動画撮影モードに含まれる動作モードには、後述する追記動画撮影モード等がある。
【００１９】
第１シャッタースイッチ２１２は、シャッターボタン１０２の操作途中、いわゆる半押し（撮影準備指示）でオンとなり、第１シャッタースイッチ信号ＳＷ１を発生させる。システム制御部５０は、第１シャッタースイッチ信号ＳＷ１により、ＡＦ処理、ＡＥ処理、ＡＷＢ処理、ＥＦ処理等の動作を開始する。
第２シャッタースイッチ２１３は、シャッターボタン１０２の操作完了、いわゆる全押し（撮影指示）でオンとなり、第２シャッタースイッチ信号ＳＷ２を発生させる。システム制御部５０は、第２シャッタースイッチ信号ＳＷ２により、撮像部２０２からの信号読み出しから記録媒体１１０に画像データを書き込むまでの一連の撮影処理の動作を開始する。
【００２０】
操作部１０７の各操作部材は、表示部１０１に表示される種々の表示アイテムを選択操作すること等により、場面ごとに適宜機能が割り当てられ、各種機能ボタンとして作用する。機能ボタンとして、例えば、終了ボタン、戻るボタン、画像送りボタン、ジャンプボタン、絞込みボタン、属性変更ボタン等がある。例えば、メニューボタンが押されると各種の設定可能なメニュー画面が表示部１０１に表示される。ユーザは表示部１０１に表示されたメニュー画面と、上下左右の４方向ボタンやＳＥＴボタンとを用いて直感的に各種設定を行うことができる。
【００２１】
コントローラホイール１０８は、ユーザによる回転操作により操作量に応じた電気的なパルス信号が発生する。システム制御部５０は発生したパルス信号に基づいてカメラ１００の各部を制御する。また、システム制御部５０は発生したパルス信号によって、コントローラホイール１０８が回転操作された角度、何回転であるか等を判定することができる。なお、コントローラホイール１０８は回転操作が検出できる操作部材であればよく、例えば、ユーザの回転操作に応じてコントローラホイール１０８自体が回転してパルス信号を発生するダイヤル操作部材であってもよい。また、コントローラホイール１０８はタッチセンサよりなる操作部材であって、自身は回転せず、コントローラホイール１０８上でユーザの指の回転動作等を検出するもの（タッチホイール）であってもよい。
【００２２】
電源制御部２１４は、電池検出回路、ＤＣ−ＤＣコンバータ、通電するブロックを切替えるスイッチ回路等により構成され、電池の装着の有無、電池の種類、電池残量の検出を行う。また、電源制御部２１４は、その検出結果およびシステム制御部５０の指示に基づいてＤＣ−ＤＣコンバータを制御し、必要な電圧を必要な期間、記録媒体１１０を含む各部へ供給する。電源部２１５は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ２１６は、記録媒体１１０との間のインターフェースである。記録媒体１１０は、半導体メモリや磁気ディスク等から構成される。
【００２３】
通信部２１７は、無線または有線ケーブルによって外部と接続し、映像信号や音声信号等の送受信を行う。通信部２１７は無線ＬＡＮやインターネットに接続可能である。また、通信部２１７は、撮像部２０２で撮影された画像（ライブビュー画像を含む）や記録媒体１１０に記録された画像データを送信したり、外部機器から画像データやその他の各種情報を受信したりすることができる。
【００２４】
姿勢検知部２１８は、重力方向に対するカメラ１００の姿勢を検知する。システム制御部５０は、姿勢検知部２１８により検知された姿勢情報に基づいてカメラ１００を横に構えて撮影された画像であるか、縦に構えて撮影された画像であるかを判別する。システム制御部５０は、姿勢検知部２１８で検知された姿勢に応じた向き情報を撮影された画像データの画像ファイルに付加したり、画像を回転して記録したりする。また、姿勢検知部２１８は、カメラ１００の動き（パン、チルト、持ち上げ、静止しているか否か等）も検知する。姿勢検知部２１８は、加速度センサやジャイロセンサ等が用いられる。
【００２５】
次に、本実施形態のカメラ１００の動画撮影モード内での追記動画撮影の処理について、図３および後述する図４のフローチャートを参照して説明する。ここで、追記動画撮影とは、数秒の撮影時間で撮影した動画（ビデオスナップ）を、既に記録された動画ファイルに追記することができる撮影である。追記動画撮影では、設定した撮影時間が継続したことに応じて自動的に動画の記録が停止される。
図３のフローチャートにおける各処理は、システム制御部５０が不揮発性メモリ２０９に格納されたプログラムをシステムメモリ２１０に展開して実行することにより実現される。また、図３のフローチャートは、ユーザにより動画撮影モードの追記動作撮影の設定メニューを開く操作に応じて開始される。
【００２６】
Ｓ３０１では、システム制御部５０は保存確認画面表示の設定が変更されたか否かを判定する。具体的には、システム制御部５０は追記動画撮影の設定メニューから保存確認画面の表示をするか否かの設定項目において、表示をする旨から表示をしない旨に変更、あるいは、表示をしない旨から表示をする旨に変更されたか否かを判定する。保存確認画面表示の設定が変更された場合にはＳ３０２に進み、設定が変更されていない場合にはＳ３０３に進む。
【００２７】
ここで、追記動画撮影の設定メニューについて図５を参照して説明する。
図５は、追記動画撮影の設定メニュー画面５００の一例を示す図である。設定メニュー画面５００には、複数の設定項目５０１〜５０６が表示される。システム制御部５０は不揮発性メモリ２０９に記憶された、前回の設定あるいは予め定められた初期値をシステムメモリ２１０に読み出して各設定項目５０１〜５０６を表示する。
設定項目５０１では、動画（ビデオスナップ）を撮影するか否かを設定できる。設定項目５０２では、動画をつなげた動画ファイル（アルバム）を新規に作成するか、既存の動画ファイルに追記するかを設定できる。設定項目５０３では、動画の再生時間を設定できる。設定項目５０４では、動画を再生するときの効果（例えば、１倍速、２倍速等）を設定できる。設定項目５０５では、保存確認画面の表示をするか否かを設定できる。設定項目５０５は、表示設定手段の一例に対応する。設定項目５０６では、動画の撮影時間を設定できる。設定項目５０６は、時間設定手段の一例に対応する。ユーザが操作部１０７を用いて変更したい設定項目にカーソル５０７を合わせて設定を変更することに応じて、システム制御部５０は各設定項目の表示内容を変更して表示する。
上述したＳ３０１では、システム制御部５０は設定項目５０５において、「保存確認画面の表示する」から「保存確認画面の表示しない」に変更、あるいはその逆に変更された否かを判定する。
【００２８】
Ｓ３０２では、システム制御部５０は変更した保存確認画面表示の設定を記憶する。具体的には、システム制御部５０はシステムメモリ２１０に記憶された保存確認画面表示の設定を更新する。なお、カメラ１００の電源をオフする場合、システム制御部５０は保存確認画面表示の設定を不揮発性メモリ２０９に記憶することで、次に電源がオンされたときには不揮発性メモリ２０９から読み出した設定を表示する。
Ｓ３０３では、システム制御部５０は撮影時間の設定が変更されたか否かを判定する。具体的には、システム制御部５０は図５の設定項目５０６において、「撮影時間」の秒数が変更されたか否かを判定する。本実施形態では、撮影時間として、２秒、４秒、６秒、８秒の何れかを選択することができる。なお、撮影時間は、選択できる場合に限られず、ユーザが任意の秒数を入力できるようにしてもよい。撮影時間の設定が変更された場合にはＳ３０４に進み、設定が変更されていない場合にＳ３０５に進む。
【００２９】
Ｓ３０４では、システム制御部５０は変更した撮影時間の設定を記憶する。具体的には、システム制御部５０はシステムメモリ２１０に記憶された撮影時間の設定を更新する。なお、カメラ１００の電源をオフする場合、システム制御部５０は撮影時間の設定を不揮発性メモリ２０９に記憶することで、次に電源がオンされたときには不揮発性メモリ２０９から読み出した撮影時間を表示する。
【００３０】
Ｓ３０５では、システム制御部５０は追記動画撮影モードへ遷移するか否かを判定する。具体的には、システム制御部５０は図５の設定項目５０１において、「ビデオスナップ  撮影する」に設定された状態で、撮影待機画面に移行する操作が行われることで追記動画撮影モードへ遷移すると判定する。追記動画撮影モードへ遷移する場合にはＳ３０６に進み、遷移しない場合には図３のフローチャートの処理を終了する。
Ｓ３０６は追記動画撮影モードの処理であって、図４のフローチャートを参照して説明する。
図４のフローチャートにおける各処理は、システム制御部５０が不揮発性メモリ２０９に格納されたプログラムをシステムメモリ２１０に展開して実行することにより実現される。
【００３１】
Ｓ４０１では、システム制御部５０は追記動画撮影モードにおける撮影待機画面を表示部１０１に表示する。
図６は、追記動画撮影モードにおける撮影待機画面６００の一例を示す図である。
撮影待機画面６００には、撮影時間表示部６０１と進捗表示部６０２とがライブビュー画像に重畳して表示される。撮影時間表示部６０１には撮影時間が表示される。システム制御部５０は現在設定している撮影時間を撮影時間表示部６０１に表示する。進捗表示部６０２には追記動画撮影の進捗が表示される。撮影待機画面６００は、記録待機画面の一例に対応する。
【００３２】
Ｓ４０２では、システム制御部５０は記録媒体１１０から追記可能な動画ファイルを取得する。このように動画ファイルを取得するのは、追記動画撮影モードで記録した動画を、取得した動画ファイルに追記するためである。
Ｓ４０３では、システム制御部５０は動画の記録の開始を指示する操作が行われたか否かを判定する。具体的には、システム制御部５０は動画ボタン１０４が押下された場合に動画の記録の開始を指示する操作が行われたと判定する。ここで、動画ボタン１０４は、記録指示手段の一例に対応する。動画の記録の開始を指示する操作が行われた場合にはＳ４０４に進み、動画の記録の開始を指示する操作が行われていない場合にはＳ４２０に進む。
Ｓ４０４では、システム制御部５０は追記動画撮影モードでの動画の記録を開始する。具体的には、システム制御部５０は動画をメモリ２０７に記録する。
【００３３】
図７は、追記動画撮影モードでの動画記録中画面７００の一例を示す図である。
動画記録中画面７００には、経過時間表示部７０１と進捗表示部７０２とが動画記録中の画像に重畳して表示される。経過時間表示部７０１には動画の記録を開始してからの経過時間が表示される。進捗表示部７０２には追記動画撮影の進捗が表示される。システム制御部５０は設定された撮影時間に対する経過時間を、進捗表示部７０２にプログレスバーで表示する。
【００３４】
Ｓ４０５では、システム制御部５０は動画の記録の停止を指示する操作が行われたか否かを判定する。具体的には、システム制御部５０は動画の記録の開始を指示するボタンと同じ動画ボタン１０４が押下された場合に動画の記録の停止を指示する操作が行われたと判定する。ここで、動画ボタン１０４は、停止指示手段の一例に対応する。このように、動画の記録の開始を指示する操作部材と、動画の記録の停止を指示する操作部材とを、同一の部材にすることで数秒の動画を記録している場合であっても、ユーザは即座に記録の停止を指示することができる。なお、動画ボタン１０４は物理的なボタンである場合に限られず、表示部１０１に表示されるタッチ可能なタッチボタンであってもよい。
動画の記録の停止を指示する操作が行われていない場合にはＳ４０６に進み、動画の記録の停止を指示する操作が行われた場合にはＳ４１８に進む。
Ｓ４０６では、システム制御部５０は動画の記録を開始してからの経過時間が、設定した撮影時間に達したか否かを判定する。経過時間が撮影時間に達した場合にはＳ４０７に進み、達していない場合にはＳ４０５に戻る。
【００３５】
Ｓ４０７では、システム制御部５０は保存確認画面の設定が、保存確認画面を表示する旨の設定になっているか否かを判定する。具体的には、システム制御部５０はシステムメモリ２１０に記憶した情報に基づいて保存確認画面を表示する旨の設定になっているか否かを判定する。保存確認画面を表示する旨の設定になっている場合にはＳ４０８に進み、保存確認画面を表示する旨の設定になっていない場合にはＳ４１７に進む。
Ｓ４０８では、システム制御部５０は保存確認画面を表示部１０１に表示する。保存確認画面は、受付画面の一例に対応する。
【００３６】
図８は、保存確認画面８００の一例を示す図である。
保存確認画面８００には、保存確認表示部８０１がライブビュー画像に重畳して表示される。保存確認表示部８０１には、再生ボタン８０２、削除ボタン８０３、新規保存ボタン８０４、追記保存ボタン８０５が表示される。再生ボタン８０２は、直前に記録した動画を再生するときに選択するボタンである。削除ボタン８０３は、直前に記録した動画を削除するときに選択するボタンである。新規保存ボタン８０４は、直前に記録した動画を、独立した新規の動画ファイルとして記録媒体１１０に記録するときに選択するボタンである。追記保存ボタン８０５は、直前に記録した動画を、追記可能な動画ファイルに追記するときに選択するボタンである。
ユーザが操作部１０７を用いて選択したいボタンにカーソル８０６を合わせ確定する操作に応じて、システム制御部５０はユーザにより選択されたボタンの情報を取得する。
【００３７】
Ｓ４０９では、システム制御部５０は直前に記録した動画を再生するか否かを判定する。具体的には、システム制御部５０はユーザにより保存確認表示部８０１の再生ボタン８０２が選択された場合に、直前に記録した動画を再生すると判定する。動画を再生する場合にはＳ４１０に進み、再生しない場合にはＳ４１２に進む。
Ｓ４１０では、システム制御部５０は直前に記録した動画の再生画面を表示部１０１に表示する。したがって、ユーザは所望した動画が記録されているかを確認することができる。
Ｓ４１１では、システム制御部５０は直前に記録した動画の再生画面を終了するか否かを判定する。具体的には、システム制御部５０はユーザにより操作部１０７を用いて再生画面を終了する操作が行われた場合に再生画面を終了すると判定する。再生画面を終了しない場合には再生画面の終了を待機し、再生画面を終了する場合にはＳ４０８に戻る。
【００３８】
Ｓ４１２では、システム制御部５０は直前に記録した動画を削除するか否かを判定する。具体的には、システム制御部５０はユーザにより保存確認表示部８０１の削除ボタン８０３が選択された場合に、直前に記録した動画を削除すると判定する。動画を削除する場合にはＳ４１３に進み、削除しない場合にはＳ４１４に進む。
Ｓ４１３では、システム制御部５０は直前に記録した動画を削除する。したがって、ユーザは所望した動画が記録できなかった場合に動画を削除することができる。その後、Ｓ４１９に進む。
【００３９】
Ｓ４１４では、システム制御部５０は直前に記録した動画を、独立した新規の動画ファイルとして保存するか否かを判定する。具体的には、システム制御部５０はユーザにより保存確認表示部８０１の新規保存ボタン８０４が選択された場合に、直前に記録した動画を、独立した新規の動画ファイルとして保存すると判定する。動画を新規の動画ファイルとして保存する場合にはＳ４１５に進み、新規の動画ファイルとして保存しない場合にはＳ４１６に進む。
Ｓ４１５では、システム制御部５０は直前に記録した動画を、独立した新規の動画ファイルとして記録媒体１１０に保存する。ここでは、システム制御部５０は直前に記録した動画を、追記可能な動画ファイルとして保存する。その後、Ｓ４１９に進む。
【００４０】
Ｓ４１６では、システム制御部５０は直前に記録した動画を、追記可能な動画ファイルに追記するか否かを判定する。具体的には、システム制御部５０はユーザにより保存確認表示部８０１の追記保存ボタン８０５が選択された場合に、直前に記録した動画を、追記可能な動画ファイルに追記して保存すると判定する。動画を追記して保存する場合にはＳ４１７に進み、動画を追加して保存しない場合にはＳ４１９に進む。
Ｓ４１７では、システム制御部５０は直前に記録した動画を、Ｓ４０２において取得した追記可能な動画ファイルに追記する。したがって、撮影時間が短い動画をつなげた動画ファイルが作成される。なお、上述したＳ４０７において、保存確認画面を表示する旨の設定になっていない場合でもＳ４１７に進む。この場合には、システム制御部５０は保存確認画面を表示することなく、直前に記録した動画を追記可能な動画ファイルに追記する。その後、Ｓ４１９に進む。
【００４１】
次に、上述したＳ４０５において動画の記録の停止を指示する操作が行われたことによりＳ４１８に進む場合について説明する。ここで、Ｓ４１８に進む場合とは、動画の記録を開始してからの経過時間が設定した撮影時間に達する前にユーザが動画の記録の停止を指示した場合であって、ユーザが所望する動画を記録できなかったことを認識している可能性が高いと想定できる。
Ｓ４１８では、システム制御部５０は動画の記録を停止して、記録した動画を独立した新規の動画ファイルとして記録媒体１１０に保存する。すなわち、システム制御部５０は保存確認画面の設定が、保存確認画面を表示する旨の設定であったとしても保存確認画面を表示しない。なお、ここで保存した動画ファイルはユーザが所望しない動画の可能性があるために、システム制御部５０は追記できない動画ファイルとして保存することが好ましい。すなわち、上述したＳ４０２において、システム制御部５０は追記可能な動画ファイルとしてＳ４１８で保存した動画ファイルを取得しないようにすることが好ましい。
【００４２】
Ｓ４１９では、システム制御部５０は追記動画撮影モードにおける撮影待機画面を表示部１０１に表示する。
ここで、上述したＳ４１８からＳ４１９に進む場合を想定すると、Ｓ４１８ではユーザが所望する動画を記録できなかったことを認識している可能性が高く、次の撮影機会に備えて、撮影を待機する必要がある。すなわち、Ｓ４１８において保存確認画面を表示せずに、Ｓ４１９において直ぐに撮影待機画面を表示させることで、ユーザは次の撮影機会に備えることができる。したがって、撮影を中断した場合でも直ぐに次の撮影を行うことができる。
【００４３】
Ｓ４２０では、システム制御部５０は追記動画撮影モードを終了するか否かを判定する。具体的には、システム制御部５０はユーザにより操作部１０７を用いて追記動画撮影モードを終了する操作が行われた場合に追記動画撮影モードを終了すると判定する。追記動画撮影モードを終了しない場合にはＳ４０２に戻り、追記動画撮影モードを終了する場合には図４のフローチャートを終了し、図３のフローチャートに戻る。
【００４４】
このように、本実施形態によれば、システム制御部５０は動画の記録が所定時間、継続する前にユーザによる停止の指示があった場合、動画の記録を停止し、受付画面としての保存確認画面を表示することなく撮影待機画面へ遷移するように制御する。したがって、ユーザが保存確認画面に対する操作を行うことなく撮影待機画面に遷移することから、撮影を中断した場合でも直ぐに次の撮影を行うことができる。
【００４５】
次に、追記動画撮影モードにおいて、動画の記録を開始してからの経過時間が撮影時間に達して動画ファイルに追記される場合と、撮影時間に達する前に動画の記録を停止した場合とで作成される動画ファイルについて図９および図１０を参照して説明する。
図９（ａ）は、１回目の撮影で場面Ａの動画を記録したときに遷移する画面の一例を示す図である。
図９（ａ）では撮影待機画面９０１から動画記録中画面９０２を経て、経過時間が撮影時間に達したことで自動的に動画の記録が停止され、保存確認画面９０３が表示される。ここでは、ユーザが保存確認画面９０３の新規保存ボタン８０４を選択することで、撮影待機画面９０４に戻ると共に、記録された動画Ａの動画ファイル９０５が作成される。
【００４６】
図９（ｂ）は、２回目の撮影で場面Ｂの動画を記録したときに遷移する画面の一例を示す図である。
図９（ｂ）では撮影待機画面９０６から動画記録中画面９０７を経て、経過時間が撮影時間に達したことで自動的に動画の記録が停止され、保存確認画面９０８が表示される。ここでは、ユーザが保存確認画面９０８の追記保存ボタン８０５を選択することで、撮影待機画面９０９に戻ると共に、記録された動画Ｂが、動画Ａを含む動画ファイル９０５に追記される。
【００４７】
図１０（ａ）は、３回目の撮影で場面Ｃの動画を記録して途中で記録を停止したときに遷移する画面の一例を示す図である。
図１０（ａ）では、撮影待機画面１００１から動画記録中画面１００２を経て、経過時間が撮影時間に達する前にユーザによる停止の指示により動画の記録が停止された場合には保存確認画面が表示されず、直ぐに撮影待機画面１００３が表示される。また、動画Ａおよび動画Ｂを含む動画ファイル９０５とは、独立した新しい動画Ｃの動画ファイル１００４が作成される。
【００４８】
図１０（ｂ）は、４回目の撮影で場面Ｄの動画を記録したときに遷移する画面の一例を示す図である。
図１０（ｂ）では撮影待機画面１００６から記録中画面１００７を経て、経過時間が撮影時間に達したことで自動的に動画の記録が停止され、保存確認画面１００８が表示される。ここでは、ユーザが保存確認画面１００８の追記保存ボタン８０５を選択することで、撮影待機画面１００９に戻ると共に、記録された動画Ｄが、動画Ａおよび動画Ｂを含む動画ファイル９０５に追記される。
【００４９】
このように、図１０（ａ）での３回目の撮影において途中で記録を停止したときに保存確認画面を表示しないことで、ユーザは直ぐに図１０（ｂ）での４回目の撮影を行うことができる。また、動画を動画ファイルに連結処理（追記して記録）するには処理時間を要してしまう。したがって、図１０（ａ）での３回目の撮影において途中で記録を停止したときに動画ファイルに追記せずに、独立した新規の動画ファイルにすることで、連結処理の処理時間分を節約でき、速やかに次の撮影を行うことができる。
【００５０】
また、経過時間が撮影時間に達したことで自動的に動画の記録が停止する場合、システム制御部５０はＧＯＰ（Group of picture）単位の区切りの良いところで動画の記録を停止する。ＧＯＰ単位で記録された動画の動画ファイルには、比較的に時間を要さずに次の動画を追記することができる。一方、経過時間が撮影時間に達する前にユーザによる停止の指示により動画の記録が停止された場合、システム制御部５０はＧＯＰ単位の区切りまで待つことなく、即時に動画の記録を停止する。したがって、更に、速やかに次の撮影を行うことができる。
【００５１】
なお、ＧＯＰ単位の区切りで記録されていない動画に、別の動画を追記する場合には、システム制御部５０がＧＯＰを調整する必要があるために時間を要してしまう。仮に、上述した図１０（ａ）の３回目の撮影において途中で記録を停止した動画Ｃ（ＧＯＰ単位の区切りで記録されていない動画）に、図１０（ｂ）の４回目の撮影における動画を追記するような構成を想定する。この場合、システム制御部５０は動画ＣのＧＯＰを調整する必要があるために、動画Ｄを追記するのに時間を要し、５回目の撮影において動画Ｅを撮影できるまでに時間が掛かってしまい、５回目の撮影において撮影機会を逃す虞がある。したがって、本実施形態のように、経過時間が撮影時間に達する前にユーザによる停止の指示により記録が停止された動画を、独立した新規の動画ファイルにすることで、ＧＯＰを調整する必要がないために、速やかに次の撮影を行うことができる。
【００５２】
ここで、本実施形態を、発明が解決しようとする課題で上述したバッターがスイングしてボールを打つ期間を収める撮影に適用する場合について説明する。上述した図１０（ａ）の３回目の撮影は、バッターが初期動作を行わなかったためにユーザはスイングの最後まで撮影時間に収まらないと考え、再度撮影を行うために一旦、記録を停止した場合に相当する。この場合、保存確認画面が表示されないために、速やかに次の撮影に移行でき、撮影機会を逃すことなくバッターのスイングを最初から撮影することができる。すなわち、図１０（ｂ）の４回目の撮影における動画Ｄにバッターのスイングを収めることができる。なお、ユーザが所望するバッターのスイングが記録されていない３回目の撮影における動画Ｃは、追記されないので、余計な動画が追記されることなく、ユーザの目的にあった動画だけをつなげた動画ファイルを得ることができる。
【００５３】
以上、本発明をその好適な実施形態に基づいて詳述したが、本発明は上述した実施形態に限られるものではなく、この発明の要旨を逸脱しない範囲の様々な形態も本発明に含まれる。また、上述した実施形態は本発明の一実施形態を示すものにすぎず、適宜、変更することも可能である。
なお、システム制御部５０が行うものとして説明した上述の各種制御は１つのハードウェアが行ってもよいし、複数のハードウェア（例えば、複数のプロセッサーや回路）が処理を分担することで、装置全体の制御を行ってもよい。
【００５４】
また、上述した実施形態において、本発明をデジタルカメラに適用した場合を例にして説明したが、この場合に限られず、動画の記録が所定時間、継続したことに応じて、自動的に動画の記録を停止するような記録制御装置であれば適用可能である。すなわち、本発明は、パーソナルコンピュータ、ＰＤＡ、携帯電話端末、携帯型の画像ビューワ、スマートフォン、タブレットＰＣ、デジタルフォトフレーム、音楽プレーヤー、ゲーム機等にも適用可能である。
【００５５】
また、本発明はデジタルカメラ本体に限られず、有線または無線通信を介して撮像装置（ネットワークカメラを含む）と通信し、撮像装置を遠隔で制御する制御装置にも適用可能である。撮像装置を遠隔で制御する装置としては、例えば、スマートフォン、タブレットＰＣ、デスクトップＰＣ等である。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【００５６】
（他の実施形態）
本発明は、以下の処理を実行することによっても実現される。すなわち、上述した実施形態の機能を実現するプログラムをネットワークまたは各種記録媒体を介してシステム或いは装置に供給し、そのシステム或いは装置のコンピュータ（又はＣＰＵやＭＰＵ等）がプログラムコードを読み出して実行する処理である。この場合、そのプログラムおよび該プログラムを記録した記録媒体は本発明を構成する。
【符号の説明】
【００５７】
５０：システム制御部  １００：デジタルカメラ  １０１：表示部  １０４：動画ボタン  １１０：記録媒体  ２０２：撮像部  ２０５：画像処理部  ２０９：不揮発性メモリ
【図１】
2019115018.tif 000003
【図２】
2019115018.tif 000004
【図３】
2019115018.tif 000005
【図４】
2019115018.tif 000006
【図５】
2019115018.tif 000007
【図６】
2019115018.tif 000008
【図７】
2019115018.tif 000009
【図８】
2019115018.tif 000010
【図９】
2019115018.tif 000011
【図１０】
2019115018.tif 000012